(57)【要約】【課題】メインミラー（クイックリターンミラー）に支持されるサブミラーの残振動を速やかに抑えることができるデジタルカメラを提供する。【解決手段】デジタルカメラである一眼レフカメラは、撮影レンズ３ａからの被写体光束の一部をファインダユニット９に導く進入位置Ｐ1 と、撮影レンズ３ａからの被写体光束を撮像素子に入射させる退避位置Ｐ2 との間を往復するクイックリターンミラー１６を備えたミラー枠１５と、ミラー枠１５の進入位置Ｐ1 における停止位置を規制するストッパ４ａと、ミラー枠１５が進入位置Ｐ1 に停止ししているときにクイックリターンミラー１６を透過する撮影レンズ３ａからの被写体光束の一部を測距センサ６に導くサブミラー１７ａを備えたサブミラー枠１７と、ミラー枠１７の振動の略節位置Ｓ0に配置されるサブミラー枠１７を支持するための回動枠２１とを具備する。【選択図】図４
2010026002.tif 000002
【特許請求の範囲】
【請求項１】
撮像光学系の光路上に入り、上記撮像光学系からの被写体光束の一部をファインダに導く第１の位置と、上記撮像光学系の光路上から退避し、上記撮像光学系からの被写体光束を光電変換素子に入射させる第２の位置との間を往復するクイックリターンミラーを備えたメインミラー部と、
上記メインミラー部が上記第２の位置から上記第１の位置に復帰するとき、上記第１の位置近傍で上記メインミラー部の少なくとも一部と衝突し、上記メインミラー部の上記第１の位置における停止位置を規制する停止位置規制手段と、
上記メインミラー部が上記第１の位置に停止ししているときに上記メインミラー部を透過する上記撮像光学系からの被写体光束の一部を焦点調節用測距素子に導くサブミラーを備えたサブミラー部と、
上記衝突により生ずる上記メインミラー部の振動の略節の部分に配置された上記サブミラー部を支持するための支持部と、
を具備することを特徴とするデジタルカメラ。
【請求項２】
上記支持部は、上記衝突により生じる上記メインミラー部の振動の腹の部分と重ならない位置に配置されていることを特徴とする請求項１に記載のデジタルカメラ。
【請求項３】
上記支持部には上記サブミラー部の回動軸を構成する部品が付設されることを特徴とする請求項１に記載のデジタルカメラ。
【発明の詳細な説明】
【技術分野】
【０００１】
本発明は、測距用サブミラーを駆動するミラー機構を備えたデジタルカメラに関する。
【背景技術】
【０００２】
従来、ファインダ観察用（測距用を含む）のメインミラー（クイックリターンミラー）を備えるデジタルカメラ、例えば、デジタル一眼レフレックスカメラにおいて、測距用サブミラーを備えたメインミラーは回動駆動され、撮影光学系である撮影レンズを介して取り込まれる被写体光束の光路に進入し、ファインダ観察のために被写体光束をファインダユニット側に反射し、かつ、サブミラーにより被写体距離の測定（測距）を行うために上記被写体光束を測距センサに向けて反射する進入位置と、上記被写体光束の光路から退避し、被写体像の撮像信号を得るために撮像素子に入射可能にする退避位置とに移動する。
【０００３】
図５は、上記従来の一眼レフカメラのメインミラーまわりの要部の構成を示す模式図であって、上記カメラにおいては、撮影レンズから取り込まれる光軸Ｏに沿った被写体光束は、光軸Ｏに沿ってカメラボディ１００内に取り込まれる。上記光軸Ｏ上には、支持軸１０４に支持されたサブミラー１０２を備え、回動軸１０３に支持される回動可能なメインミラー１０１と、撮像素子を含む撮像ユニット１０７が配され、メインミラー１０１の上部には、スクリーン、ペンタプリズム、接眼レンズ等を有するファインダユニット１０８が配されている。
【０００４】
図５に示すようにメインミラー１０１は、ミラー駆動機構の駆動レバー（図示せず）を介してストッパ１０５に当接する進入位置Ｐ1 と、ストッパ１０６に当接する退避位置Ｐ2 とに回動駆動されるが、通常、進入位置Ｐ1 に向けてバネ付勢されており、退避位置Ｐ2 へはカムにより付勢バネをチャージする状態で回動駆動される。進入位置Ｐ1 へはカムの後退による上記付勢バネの付勢力により高速で回動駆動される。従って、進入位置Ｐ1 に回動駆動され、ストッパ１０５に当接した際、回動方向のバウンドが生じる。上記バウンドの発生によってファインダ観察像が安定するまで時間を要する。また、サブミラーによる測距も上記バウンドの安定後に行う必要があった。
【０００５】
そこで、特許文献１に開示されたカメラのミラーバウンド防止装置は、ミラーのストッパに当て付ける面を設け、該当て付け面は、該ミラーの回動方向の円周に対して傾斜し、かつ、撮影レンズ光軸と垂直な面に沿って形成する。上記ミラーが上記ストッパに当て付いたとき、上記撮影レンズ光軸に対する傾斜が変化しないような状態で振動することで、上記振動によるファインダ観察像の揺らぎを抑える用に構成されている。
【０００６】
特許文献２乃至５に開示されたミラーバウンド防止装置は、ミラーがストッパに当接したとき、上記ミラーをストッパ側に強制的に押さえ込むためのバウンド防止部材を設けたものである。
【０００７】
特許文献６乃至９に開示されたミラーバウンド防止装置は、ミラーがストッパに当接するとき、ミラーを別途に設けられる可動の慣性体に当て付けることによってミラー回動時の運動エネルギルギを上記可動の慣性体に吸収させ、ミラー側のバウンドを無くすように構成したものである。
【０００８】
また、特許文献１０に開示されたクイックリターンミラー装置は、クイックリターンミラーと該ミラーを保持するミラーホルダとの間に振動減衰材料からなる振動減衰層を配しすることによって上記クイックリターンミラーの振動を抑えるようにしたものである。
【特許文献１】特開昭６１−２７８８３１号公報
【特許文献２】特開平１０−２０６９６８号公報
【特許文献３】特開平１１−０２４１６３号公報
【特許文献４】特開平１１−０３８５０１号公報
【特許文献５】特許第３９００５５１号
【特許文献６】特開平０９−２７４２４９号
【特許文献７】特許第３４５３７９９号
【特許文献８】特開第３５３６１３１号
【特許文献９】特開第３８０４１０９号
【特許文献１０】特開２００６−１８９５３９号公報
【発明の開示】
【発明が解決しようとする課題】
【０００９】
しかし、上述した特許文献１に開示されたミラーバウンド防止装置は、構成が簡単ではあるが、ミラーのバウンドをより速やかに収めることに対しては必ずしも有効ではない。
【００１０】
上述した特許文献２乃至５に開示されたものは、上記バウンド防止部材の構造が複雑化し、ミラー部の占有エリアが増大して、装置の小型化が困難になる。
【００１１】
特許文献６乃至９に開示されたミラーバウンド防止装置は、ミラーとは別体の可動の慣性体を配する必要があり、構造が複雑化するとともに、占有スペースが大きくなり、装置の重量も増えるなどの問題がある。さらに、上述した特許文献１０に開示されたクイックリターンミラー装置ではクイックリターンミラーのバウンドを抑えることができたとしてもサブミラーのバウンドは抑えることができない。
【００１２】
本発明は、上述の問題を解決するためになされたものであり、構造が簡単であって、メインミラー（クイックリターンミラー）に支持されるサブミラーの残振動を速やかに抑えることができ、かつ、ミラー駆動部のコンパクト化も可能であるデジタルカメラを提供することを目的とする。
【課題を解決するための手段】
【００１３】
本発明の請求項１に記載のデジタルカメラは、撮像光学系の光路上に入り、上記撮像光学系からの被写体光束の一部をファインダーに導く第１の位置と、上記撮像光学系の光路上から退避し、上記撮像光学系からの被写体光束を光電変換素子に入射させる第２の位置との間を往復するクイックリターンミラーを備えたメインミラー部と、上記メインミラー部が上記第２の位置から上記第１の位置に復帰するとき、上記第１の位置近傍で上記メインミラー部の少なくとも一部と衝突し、上記メインミラー部の上記第１の位置における停止位置を規制する停止位置規制手段と、上記メインミラー部が上記第１の位置に停止ししているときに上記メインミラー部を透過する上記撮像光学系からの被写体光束の一部を焦点調節用測距素子に導くサブミラーを備えたサブミラー部と、上記衝突により生ずる上記メインミラー部の振動の略節の部分に配置された上記サブミラー部を支持するための支持部とを具備する。
【００１４】
本発明の請求項２に記載のデジタルカメラは、請求項１に記載のデジタルカメラにおいて、上記支持部は、上記衝突により生じる上記メインミラー部の振動の腹の部分と重ならない位置に配置されている。
【００１５】
本発明の請求項３に記載のデジタルカメラは、請求項１に記載のデジタルカメラにおいて、上記支持部には上記サブミラー部の回動軸を構成する部品が付設される。
【発明の効果】
【００１６】
本発明によれば、構造が簡単であって、メインミラーに支持されるサブミラーの残振動を速やかに抑えることができ、かつ、ミラー駆動部のコンパクト化も可能であるデジタルカメラを提供することができる。
【発明を実施するための最良の形態】
【００１７】
以下、図を用いて本発明の実施形態について説明する。
【００１８】
図１は、本発明の一実施形態のデジタルカメラである一眼レフカメラの要部の構成を示す撮影レンズ光軸に沿った断面図である。図２は、上記一眼レフカメラのミラーボックス部を前方側からみた斜視図である。図３は、上記一眼レフカメラのミラーユニットを前方側からみた斜視図であって、ミラー進入位置状態を示す。図４は、上記ミラーユニットのミラー枠およびサブミラー枠の進入位置での振動状態を拡大して示した模式的側面図である。
【００１９】
本実施形態の一眼レフカメラ１は、図１に示すようにカメラボディ２と、カメラボディ２に着脱可能な交換式レンズ鏡筒３とからなる。
【００２０】
レンズ鏡筒３は、レンズ光軸を有する撮像光学系となる撮影レンズ３ａを内蔵しており、カメラボディ２に対してボディマウント２９により装着可能である。
【００２１】
カメラボディ２は、図１，２に示すようにカメラ本体部２ａ内部に配される構成部材として、前面部にボディマウント２９が配され、かつ、ミラーユニット５および測距センサユニット６を内蔵するミラーボックス４と、ミラーボックス４の後方部に配されるシャッタユニット７、および、撮像ユニット８と、ミラーボックス４の上方部に配されるファインダユニット９と、さらに、カメラ制御部および各ユニット駆動部（図示せず）を具備している。
【００２２】
なお、レンズ鏡筒３がカメラボディ２に装着された状態でのレンズ光軸を図中、Ｏで示す。レンズ光軸Ｏの方向で被写体側をカメラボディ２の前方側とし、結像側を後方側とする。また、レンズ光軸Ｏに対する左右方向をｘ方向とする。また、ミラーユニット５のクイックリターンミラーを保持するミラー枠１５（後述）がストッパ４ａ（後述）に当接した状態の進入位置Ｐ1 における先端面の回動軌跡の接線の方向をｙ方向とする。
【００２３】
カメラボディ２に内蔵されるファインダユニット９は、焦点板１１と、ペンタプリズム１２と、接眼レンズ１３とからなりファインダ光学系を構成する。
【００２４】
ミラーユニット５は、ミラーボックス４の内部に配され、被写体光束を反射する反射面を有するクイックリターンミラー１６が上面部に固着されるメインミラー部を構成するミラー枠１５と、ミラー枠１５の背面部に回動可能に支持され、サブミラー１７ａを保持するサブミラー部を構成するサブミラー枠１７とを具備している。
【００２５】
ミラー枠１５は、ミラーボックス４内にてｘ方向に沿った回動軸１８を介してミラー付勢バネ１９によって下方側に回動可能な状態で付勢されている。このミラー枠１５は、ミラー駆動装置（図示せず）によりミラー駆動レバー（図示せず）が一方方向に回動駆動されると、被駆動ピン１５ａを介して図示しない付勢バネの付勢力によりミラー付勢バネ１９の付勢力に抗して上方（ミラーアップ方向）に向けて回動駆動され、ミラーボックス４の内壁面のストッパ４ｂに当接して退避位置Ｐ2 （後述する）に停止する。そのとき、ミラー枠１５の背面部に配されるサブミラー枠１７も閉位置Ｑ2 （図４）に閉じた状態になる。
【００２６】
一方、上記ミラー駆動レバーが逆方向に回動駆動されるとミラー付勢バネ１９の付勢力によって下方（ミラーダウン方向）に向けて回動駆動され、ミラーボックス４の内壁面４ｆに設けられた停止位置規制手段であるストッパ４ａに当接して進入位置Ｐ1 （後述する）に停止する。そのとき、ミラー枠１５の背面部に配されるサブミラー枠１７も上記回動動作に連動して図示しないトグルバネの付勢力によって開位置Ｑ1 （図４）まで開き、ストッパ４ｃに当接する。
【００２７】
ミラー枠１５が下方の第一の位置である上記進入位置Ｐ1 に位置した状態では、クイックリターンミラー１６がレンズ光軸Ｏ上の被写体光束の光路内に斜設状態で位置する（図１，２）。この状態では撮影レンズ３ａを介して取り込まれた被写体光束は、クイックリターンミラー１６によって上方のファインダユニット９に向けて反射され、ファインダ観察が可能となる。また、サブミラー枠１７は、ミラー枠１５が進入位置Ｐ1 にあるとき、上述したようにミラー枠１５の後方部にて光軸Ｏ上に斜設状態の開位置Ｑ1 （図４）にあり、クイックリターンミラー１６の一部を透過した被写体光束の一部が焦点検出用素子を有する測距センサユニット６側に反射され、被写体距離の測定（測距）が可能となる。
【００２８】
ミラー枠１５が上方の第二の位置である退避位置Ｐ2 に位置した状態では、クイックリターンミラー１６、サブミラー枠１７に保持されるサブミラー１７ａともに被写体光束の光路外に退避した状態にあり、撮影レンズ３ａを介して取り込まれた被写体光束は、開状態にあるシャッタユニット７を通過して撮像ユニット８の光電変換素子である撮像素子の光電変換面上に結像する。そして、上記撮像素子より出力される撮像信号が上記カメラ制御部により処理され、被写体画像信号が出力される。
【００２９】
上述した本実施形態におけるミラーユニット５においては、特にサブミラー枠１７に保持されるサブミラー１７ａがミラー枠１５のバウンドによる影響を受けにくい支持構造が採用されている。
【００３０】
詳しくは、ミラー枠１５は、進入位置Ｐ1 に到達して、ストッパ４ａに当接したときにバウンドし、同時にミラー枠１５自体が図４に示すような固有振動による変形状態１５Ａを呈する。ミラー枠１５のサブミラー枠１７を回動可能に支持する支持部である回動軸２１は、図４に示すようにミラー枠１５の上記固有振動の腹部以外の節位置Ｓ0 に位置している。従って、ミラー枠１５の上記固有振動による回動軸２１のミラー枠回動方向の変位量が少なく、サブミラー枠１７のゆれが抑えられ、サブミラー１７ａがより早く静定する。これによって、サブミラー１７ａにおける被写体光束の反射光による測距処理を速やかに開始することができる。
【００３１】
なお、図６は、サブミラー枠１７を回動可能に支持するための回動軸２１Ａがミラー枠１５の固有振動の節の位置以外の腹近傍の位置Ｓ1 にあるときの振動状態を示しており、この場合、回動軸２１Ａがミラー枠回動方向に変位し（矢印方向）、サブミラー１７ａが静定するまでに比較的長い時間を必要とする。
【００３２】
本実施形態のミラーユニット５を適用した場合、上述したようにサブミラー枠１７を回動可能に支持するための回動軸２１をミラー枠１５の固有振動状態での節位置Ｓ0 に配しており、ミラー枠１５が進入位置Ｐ1 に到達したときのサブミラー１７ａをより早く静定させることができるので、測距処理の開始を遅らすことなく、素早い合焦処理を行うことができる。また、構成部材を増やす必要もなく、ミラー駆動部のコンパクト化も可能である
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００３３】
本発明によるデジタルカメラは、構造が簡単であって、メインミラー（クイックリターンミラー）に支持されるサブミラーの残振動を速やかに抑えることができ、かつ、ミラー駆動部のコンパクト化も可能であるデジタルカメラとして利用することができる。
【図面の簡単な説明】
【００３４】
【図１】本発明の一実施形態のデジタルカメラである一眼レフカメラの要部の構成を示す撮影レンズ光軸に沿った断面図である。
【図２】図１の一眼レフカメラのミラーボックス部を前方側からみた斜視図である。
【図３】図１の一眼レフカメラのミラーユニットを前方側からみた斜視図であって、ミラー進入位置状態を示す。
【図４】図３のミラーユニットのミラー枠およびサブミラー枠の進入位置での振動状態を拡大して示した模式的側面図である。
【図５】従来の一眼レフカメラのメインミラーまわりの要部の構成を示す模式図である。
【図６】通常の一眼レフカメラのミラーユニットにおいて、サブミラー枠１７を回動可能に支持するための回動軸がミラー枠の固有振動状態の節の位置以外に位置しているときの振動状態を示す図である。
【符号の説明】
【００３５】
３ａ…撮影レンズ（撮像光学系）
４ａ…ストッパ（停止位置規制手段）
８  …撮像ユニット（光電変換素子）
１５  …ミラー枠（メインミラー部）
１６  …クイックリターンミラー
１７  …サブミラー枠（サブミラー部）
１７ａ…サブミラー
２１  …回動軸（支持部，サブミラー部の回動軸）
Ｐ1 …進入位置（第一の位置）
Ｐ2 …退避位置（第二の位置）
Ｓ０…（振動の節）
【図１】
2010026002.tif 000003
【図２】
2010026002.tif 000004
【図３】
2010026002.tif 000005
【図４】
2010026002.tif 000006
【図５】
2010026002.tif 000007
【図６】
2010026002.tif 000008